(57)【要約】【課題】一以上の環境試験装置の其々が異常な状態になる直前の警告状態であることを適切に通知する。【解決手段】試験装置管理システムに、所定の試験条件に従い試料の周囲環境の調整を行う環境調整器と、前記周囲環境を検出する環境センサー及び環境調整器の一以上の状態を検出する状態センサーのうち少なくとも一方と、前記調整中に試験条件と前記少なくとも一方の検出値とを含む試験情報を管理装置へ送信する送信部とを備えた環境試験装置と、試験情報を受信する受信部と、受信した試験情報を記憶する記憶部と、調整中に受信した受信試験情報と記憶部が前記受信前に記憶した受信試験情報と同種の試験条件を含む対象試験情報とに含まれている検出値に基づき受信試験情報を送信した対象環境試験装置が警告状態であるか否かを判定する判定部と、対象環境試験装置が警告状態であると判定された場合に通知する通知部とを備えた管理装置と、を備える。【選択図】図６
2018173815.tif 000002
【特許請求の範囲】
【請求項１】
一以上の環境試験装置と管理装置とを備えた試験装置管理システムであって、
前記環境試験装置は、
所定の試験条件に従い試料の周囲環境の調整を行う環境調整器と、
前記試料の周囲環境を検出する環境センサー及び前記環境調整器の一以上の状態を検出する状態センサーのうち少なくとも一方と、
前記調整中に、前記試験条件と、前記少なくとも一方の検出値と、を含む試験情報を前記管理装置へ送信する送信部と、
を備え、
前記管理装置は、
前記試験情報を受信する受信部と、
前記受信部が受信した前記試験情報を記憶する記憶部と、
前記受信部が前記調整中に受信した受信試験情報と、前記記憶部が前記受信前に記憶した、前記受信試験情報と同種の前記試験条件を含む対象試験情報と、に含まれている前記少なくとも一方の検出値に基づき、前記受信試験情報を送信した対象環境試験装置が、異常な状態になる直前の警告状態であるか否かを判定する第一判定処理を行う判定部と、
前記第一判定処理において前記対象環境試験装置が前記警告状態であると判定された場合、前記対象環境試験装置が前記警告状態であることを通知する通知部と、
を備える試験装置管理システム。
【請求項２】
前記第一判定処理において、前記判定部は、前記受信試験情報に含まれている前記環境センサーの検出値が第一値から第二値に変化するまでに要した時間と、前記対象試験情報に含まれている前記環境センサーの検出値が前記第一値から前記第二値に変化するまでに要した時間の所定の第一代表値と、の時間差が、所定の第一基準時間以上である場合に、前記対象環境試験装置が前記警告状態であると判定する
請求項１に記載の試験装置管理システム。
【請求項３】
前記管理装置は、
前記第一判定処理において前記対象環境試験装置が前記警告状態ではないと判定された場合、前記受信試験情報及び前記対象試験情報に含まれている前記状態センサーの検出値に基づき、前記対象環境試験装置の前記環境調整器が寿命に到達するまでの余命期間を予測する予測処理を行う予測部
を更に備え、
前記通知部は、更に、前記予測処理において予測された前記余命期間を通知する
請求項１又は２に記載の試験装置管理システム。
【請求項４】
前記管理装置は、
前記第一判定処理において前記対象環境試験装置が前記警告状態ではないと判定された場合、前記受信試験情報及び前記対象試験情報に含まれている前記状態センサーの検出値に基づき、前記対象環境試験装置の前記環境調整器が寿命に到達するまでの余命期間を予測する予測処理を行う予測部
を更に備え、
前記判定部は、前記第一判定処理を行う前に、前記受信試験情報と前記対象試験情報とに含まれている前記状態センサーの検出値に基づき、前記対象環境試験装置が正常な状態であるか否かを判定する第二判定処理を行い、
前記第二判定処理において前記対象環境試験装置が正常な状態ではないと判定された場合、前記判定部は前記第一判定処理を行い、
前記第二判定処理において前記対象環境試験装置が正常な状態であると判定された場合、前記予測部は前記予測処理を行い、前記通知部は前記予測処理において予測された前記余命期間を通知する
請求項１又は２に記載の試験装置管理システム。
【請求項５】
前記試験情報には、前記環境調整器のｋ（ｋは２以上の整数）種の状態の検出値が含まれ、
前記第二判定処理において、前記判定部は、前記対象試験情報に含まれている前記ｋ種の状態の検出値からｋ種の代表値を算出し、前記受信試験情報に含まれている前記ｋ種の状態の検出値と前記ｋ種の代表値との間のユークリッド距離又はマハラノビス距離が、所定長以上である場合に、前記対象環境試験装置が正常な状態ではないと判定する
請求項４に記載の試験装置管理システム。
【請求項６】
前記判定部は、前記第一判定処理において前記対象環境試験装置が前記警告状態であると判定された場合、前記受信試験情報と前記対象試験情報とに含まれている前記状態センサーの検出値に基づき、前記対象環境試験装置が異常な状態であるか否かを判定する第三判定処理を行い、
前記第三判定処理において前記対象環境試験装置が異常な状態であると判定された場合、前記通知部は、前記対象環境試験装置が異常な状態であることを通知し、
前記第三判定処理において前記対象環境試験装置が異常な状態ではないと判定された場合、前記予測部は前記予測処理を行い、前記通知部は、前記予測処理において予測された前記余命期間と前記対象環境試験装置が前記警告状態であることとを通知する
請求項３から５の何れか一項に記載の試験装置管理システム。
【請求項７】
前記第三判定処理において、前記判定部は、前記受信試験情報に含まれている前記環境調整器の何れか一の状態の検出値が、前記対象試験情報に含まれている前記一の状態の検出値の所定の第二代表値を、所定時間以上連続して又は前記所定時間中に所定回数以上超えている場合に、前記対象環境試験装置が異常な状態であると判定する
請求項６に記載の試験装置管理システム。
【請求項８】
前記一以上の環境試験装置のうち何れか一の環境試験装置に、前記管理装置が備えられている請求項１から７の何れか一項に記載の試験装置管理システム。
【請求項９】
環境調整器によって所定の試験条件に従い試料の周囲環境の調整を行う一以上の環境試験装置の状態を管理する管理装置であって、
前記一以上の環境試験装置の其々が前記調整中に送信する、前記試験条件と、前記周囲環境の検出値及び前記環境調整器の一以上の状態の検出値のうち少なくとも一方の検出値と、を含む試験情報を受信する受信部と、
前記受信部が受信した前記試験情報を記憶する記憶部と、
前記受信部が前記調整中に受信した受信試験情報と、前記記憶部が前記受信前に記憶した、前記受信試験情報と同種の前記試験条件を含む対象試験情報と、に含まれている前記少なくとも一方の検出値に基づき、前記受信試験情報を送信した対象環境試験装置が、異常な状態になる直前の警告状態であるか否かを判定する第一判定処理を行う判定部と、
前記第一判定処理において前記対象環境試験装置が前記警告状態であると判定された場合、前記対象環境試験装置が前記警告状態であることを通知する通知部と、
を備える管理装置。
【発明の詳細な説明】
【技術分野】
【０００１】
本発明は、環境試験装置の状態を管理する試験装置管理システム及び管理装置に関する。
【背景技術】
【０００２】
従来から、下記特許文献１乃至３等に記載のように、作業機械や産業用機器等のメンテナンス対象機器の稼働状況をサーバに送信し、サーバにおいて、受信した稼働状況及びメンテナンス対象機器と同種の機器から得られた稼働状況に基づき異常の発生時期を予測し、異常の発生前に通知する技術が知られている。前記稼働状況には、メンテナンス対象機器の各稼働部品の温度及び振動や、各稼働部品の稼働に用いられる油や水等の温度、圧力及び流量等が含まれる。
【先行技術文献】
【特許文献】
【０００３】
【特許文献１】特開２０００−２５９７２９号公報
【特許文献２】特開２００３−４４１２６号公報
【特許文献３】特許第４０１１３３８号公報
【発明の概要】
【発明が解決しようとする課題】
【０００４】
しかし、メンテナンス対象機器が異常な状態になる直前の状態になった場合、メンテナンス対象機器を負担の小さい稼働条件で稼働させたとしても、稼働状況が、メンテナンス対象機器が負担の大きい稼働条件で正常に稼働しているときと略同じ状況になることがある。この場合、上記特許文献１乃至３等に記載の従来技術では、メンテナンス対象機器が送信した稼働状況が、メンテナンス対象機器と同種の機器が負担の大きい稼働条件で正常に稼働しているときの稼働状況と略等しいために、異常の発生時期が近くないと誤って予測される虞があった。
【０００５】
この場合、当該誤って予測された異常の発生時期の通知を受けたユーザーは、異常の発生時期が近くないと判断し、メンテナンス対象機器の稼働を継続する虞があった。その結果、メンテナンス対象機器が異常な状態となり、メンテナンス対象機器が正常に稼働するように修理されるまでの間、メンテナンス対象機器を利用できなくなる虞があった。
【０００６】
また、上記とは反対に、メンテナンス対象機器が負担の大きい稼働条件で正常に稼働している場合に、稼働状況が、異常な状態にあるメンテナンス対象機器が負担の小さい稼働条件で稼働しているときと略同じ状況になることがある。この場合、上記特許文献１乃至３等に記載の従来技術では、メンテナンス対象機器が送信した稼働状況が、異常な状態にあるメンテナンス対象機器と同種の機器が負担の小さい稼働条件で稼働しているときの稼働状況と略等しいために、既に異常が発生していると誤って判定する虞があった。この場合、当該異常の発生の判定結果を受けとったユーザーは、メンテナンス対象機器が正常に稼働しているにも関わらず、メンテナンス対象機器の稼働を強制的に停止する虞があった。
【０００７】
本発明は、上記事情に鑑みてなされた発明であり、一以上の環境試験装置の其々が異常な状態になる直前の警告状態であることを適切に通知することができる試験装置管理システム及び管理装置を提供することを目的とする。
【課題を解決するための手段】
【０００８】
本発明による試験装置管理システムは、一以上の環境試験装置と管理装置とを備えた試験装置管理システムであって、前記環境試験装置は、所定の試験条件に従い試料の周囲環境の調整を行う環境調整器と、前記試料の周囲環境を検出する環境センサー及び前記環境調整器の一以上の状態を検出する状態センサーのうち少なくとも一方と、前記調整中に、前記試験条件と、前記少なくとも一方の検出値と、を含む試験情報を前記管理装置へ送信する送信部と、を備え、前記管理装置は、前記試験情報を受信する受信部と、前記受信部が受信した前記試験情報を記憶する記憶部と、前記受信部が前記調整中に受信した受信試験情報と、前記記憶部が前記受信前に記憶した、前記受信試験情報と同種の前記試験条件を含む対象試験情報と、に含まれている前記少なくとも一方の検出値に基づき、前記受信試験情報を送信した対象環境試験装置が、異常な状態になる直前の警告状態であるか否かを判定する第一判定処理を行う判定部と、前記第一判定処理において前記対象環境試験装置が前記警告状態であると判定された場合、前記対象環境試験装置が前記警告状態であることを通知する通知部と、を備える。
【０００９】
また、本発明による管理装置は、環境調整器によって所定の試験条件に従い試料の周囲環境の調整を行う一以上の環境試験装置の状態を管理する管理装置であって、前記一以上の環境試験装置の其々が前記調整中に送信する、前記試験条件と、前記周囲環境の検出値及び前記環境調整器の一以上の状態の検出値のうち少なくとも一方の検出値と、を含む試験情報を受信する受信部と、前記受信部が受信した前記試験情報を記憶する記憶部と、前記受信部が前記調整中に受信した受信試験情報と、前記記憶部が前記受信前に記憶した、前記受信試験情報と同種の前記試験条件を含む対象試験情報と、に含まれている前記少なくとも一方の検出値に基づき、前記受信試験情報を送信した対象環境試験装置が、異常な状態になる直前の警告状態であるか否かを判定する第一判定処理を行う判定部と、前記第一判定処理において前記対象環境試験装置が前記警告状態であると判定された場合、前記対象環境試験装置が前記警告状態であることを通知する通知部と、を備える。
【００１０】
本構成によれば、受信試験情報が示す、対象環境試験装置において所定の試験条件に従い調整中の試料の周囲環境及び環境調整器の一以上の状態のうち少なくとも一方の検出値と、対象試験情報が示す、一以上の環境試験装置の其々で対象環境試験装置と同種の試験条件に従い過去に調整を行っていたときの前記少なくとも一方の検出値とに基づき、対象環境試験装置が警告状態であるか否かが判定される。
【００１１】
このため、対象環境試験装置で所定の試験条件に従い調整中の前記少なくとも一方の検出値と、一以上の環境試験装置の其々で対象環境試験装置とは異種の試験条件に従い過去に調整を行っていたときの前記少なくとも一方の検出値とに基づき、対象環境試験装置が警告状態であるか否かを判定するよりも、一以上の環境試験装置の其々が異常な状態になる直前の警告状態であるか否かを適切に判定できる。
【００１２】
そして、本構成によれば、対象環境試験装置が警告状態であると判定された場合、対象環境試験装置が警告状態であることが通知される。これにより、一以上の環境試験装置の其々が異常な状態になる直前の警告状態であることを適切に通知できる。
【００１３】
また、当該通知を受けたユーザーは対象環境試験装置が異常な状態になる前に、対象環境試験装置が警告状態であることに気付くことができる。これにより、当該ユーザーは、対象環境試験装置を点検する等、対象環境試験装置が異常な状態になる虞を低減するための作業を実施できる。その結果、対象環境試験装置が異常な状態になってから対象環境試験装置の修理を行う場合よりも、対象環境試験装置で調整が行えなくなる時間を低減できる。したがって、環境試験装置のユーザーは、試験スケジュールに基づいてメンテナンス計画を立てることができる。これにより、当該ユーザーは、スケジュール通りに試験を行え、試験の機会損失を低減できる。
【００１４】
また、前記第一判定処理において、前記判定部は、前記受信試験情報に含まれている前記環境センサーの検出値が第一値から第二値に変化するまでに要した時間と、前記対象試験情報に含まれている前記環境センサーの検出値が前記第一値から前記第二値に変化するまでに要した時間の所定の第一代表値と、の時間差が、所定の第一基準時間以上である場合に、前記対象環境試験装置が前記警告状態であると判定することが好ましい。
【００１５】
本構成によれば、受信試験情報が示す調整中の試料の周囲環境の検出値と、対象試験情報が示す一以上の環境試験装置で過去に行われた当該調整と同種の試験条件を用いた調整中の試料の周囲環境の検出値とが、第一値から第二値に変化するまでに要した時間の時間差に基づき、対象環境試験装置が警告状態であるか否かを適切に判定できる。
【００１６】
また、前記管理装置は、前記第一判定処理において前記対象環境試験装置が前記警告状態ではないと判定された場合、前記受信試験情報及び前記対象試験情報に含まれている前記状態センサーの検出値に基づき、前記対象環境試験装置の前記環境調整器が寿命に到達するまでの余命期間を予測する予測処理を行う予測部を更に備え、前記通知部は、更に、前記予測処理において予測された前記余命期間を通知してもよい。
【００１７】
本構成によれば、対象環境試験装置が警告状態ではないと判定された場合、一以上の環境試験装置の其々で行われた対象環境試験装置と同種の試験条件に従う調整中の環境調整器の一以上の状態に基づき、適切に余命期間が予測され、当該予測された余命期間が通知される。
【００１８】
このため、当該通知を受けたユーザーは対象環境試験装置が警告状態ではないうちに、対象環境試験装置の環境調整器が寿命に到達するまでに要する期間を適切に把握することができる。これにより、当該ユーザーは、対象環境試験装置を点検する等、対象環境試験装置が異常な状態になる虞を低減するための作業を、時間的に余裕を持って実施することができる。したがって、環境試験装置のユーザーは、試験スケジュールに基づいてメンテナンス計画を立てることができる。これにより、当該ユーザーは、スケジュール通りに試験を行え、試験の機会損失を低減できる。
【００１９】
また、前記管理装置は、前記第一判定処理において前記対象環境試験装置が前記警告状態ではないと判定された場合、前記受信試験情報及び前記対象試験情報に含まれている前記状態センサーの検出値に基づき、前記対象環境試験装置の前記環境調整器が寿命に到達するまでの余命期間を予測する予測処理を行う予測部を更に備え、前記判定部は、前記第一判定処理を行う前に、前記受信試験情報と前記対象試験情報とに含まれている前記状態センサーの検出値に基づき、前記対象環境試験装置が正常な状態であるか否かを判定する第二判定処理を行い、前記第二判定処理において前記対象環境試験装置が正常な状態ではないと判定された場合、前記判定部は前記第一判定処理を行い、前記第二判定処理において前記対象環境試験装置が正常な状態であると判定された場合、前記予測部は前記予測処理を行い、前記通知部は前記予測処理において予測された前記余命期間を通知してもよい。
【００２０】
本構成によれば、一以上の環境試験装置の其々で行われた対象環境試験装置と同種の試験条件に従う調整中の環境調整器の一以上の状態に基づき、対象環境試験装置が正常な状態であるか否かを適切に判定できる。
【００２１】
そして、本構成によれば、対象環境試験装置が正常な状態ではないと判定された場合、第一判定処理が行われるので、対象環境試験装置が警告状態であるかを適切に判定できる。一方、対象環境試験装置が正常な状態であると判定された場合、余命期間が適切に予測され、当該予測された余命期間が通知される。このため、当該通知を受けたユーザーは対象環境試験装置が正常な状態であるうちに、対象環境試験装置の環境調整器が寿命に到達するまでに要する期間を適切に把握することができる。これにより、当該ユーザーは、対象環境試験装置を点検する等、対象環境試験装置が異常な状態になる虞を低減するための作業を、時間的により余裕を持って実施することができる。したがって、環境試験装置のユーザーは、試験スケジュールに基づいてメンテナンス計画を立てることができる。これにより、当該ユーザーは、スケジュール通りに試験を行え、試験の機会損失を低減できる。
【００２２】
また、前記試験情報には、前記環境調整器のｋ（ｋは２以上の整数）種の状態の検出値が含まれ、前記第二判定処理において、前記判定部は、前記対象試験情報に含まれている前記ｋ種の状態の検出値からｋ種の代表値を算出し、前記受信試験情報に含まれている前記ｋ種の状態の検出値と前記ｋ種の代表値との間のユークリッド距離又はマハラノビス距離が、所定長以上である場合に、前記対象環境試験装置が正常な状態ではないと判定することが好ましい。
【００２３】
本構成によれば、試験情報に環境調整器の複数種類の状態の検出値が含まれている場合であっても、一以上の環境試験装置の其々で行われた対象環境試験装置と同種の試験条件に従う調整中の環境調整器の複数種類の状態の検出値からユークリッド距離又はマハラノビス距離を算出し、当該算出したユークリッド距離又はマハラノビス距離に基づき、対象環境試験装置が正常な状態であるか否かを適切に判定することができる。
【００２４】
また、前記判定部は、前記第一判定処理において前記対象環境試験装置が前記警告状態であると判定された場合、前記受信試験情報と前記対象試験情報とに含まれている前記状態センサーの検出値に基づき、前記対象環境試験装置が異常な状態であるか否かを判定する第三判定処理を行い、前記第三判定処理において前記対象環境試験装置が異常な状態であると判定された場合、前記通知部は、前記対象環境試験装置が異常な状態であることを通知し、前記第三判定処理において前記対象環境試験装置が異常な状態ではないと判定された場合、前記予測部は前記予測処理を行い、前記通知部は、前記予測処理において予測された前記余命期間と前記対象環境試験装置が前記警告状態であることとを通知してもよい。
【００２５】
本構成によれば、一以上の環境試験装置の其々で行われた対象環境試験装置と同種の試験条件に従う調整中の環境調整器の一以上の状態に基づき、対象環境試験装置が異常な状態であるか否かを適切に判定できる。
【００２６】
そして、本構成によれば、対象環境試験装置が異常な状態であると判定された場合、対象環境試験装置が異常な状態であることが通知される。このため、当該通知を受けたユーザーは、対象環境試験装置における調整を迅速に終了することができる。これにより、異常な状態の対象環境試験装置において、正常ではない調整を無駄に継続することを回避できる。
【００２７】
一方、対象環境試験装置が異常な状態ではないと判定された場合、余命期間が適切に予測され、当該予測された余命期間が通知される。また、対象環境試験装置が警告状態であることが通知される。このため、これらの通知を受けたユーザーは、対象環境試験装置が警告状態であるうちに、対象環境試験装置の環境調整器が寿命に到達するまでに要する期間を適切に把握することができる。これにより、当該ユーザーは、対象環境試験装置を点検する等、対象環境試験装置が異常な状態になる虞を低減するための作業を早急に実施することができる。
【００２８】
また、前記第三判定処理において、前記判定部は、前記受信試験情報に含まれている前記環境調整器の何れか一の状態の検出値が、前記対象試験情報に含まれている前記一の状態の検出値の所定の第二代表値を、所定時間以上連続して又は前記所定時間中に所定回数以上超えている場合に、前記対象環境試験装置が異常な状態であると判定することが好ましい。
【００２９】
本構成によれば、環境調整器の一以上の状態のうち一の状態の検出値しか試験情報に含まれていない場合であっても、一以上の環境試験装置の其々で行われた対象環境試験装置と同種の試験条件に従う調整中の環境調整器の前記一種類の状態の検出値を用いて、対象環境試験装置が異常な状態であるか否かを適切に判定することができる。
【００３０】
また、前記一以上の環境試験装置のうち何れか一の環境試験装置に、前記管理装置が備えられていてもよい。
【００３１】
本構成によれば、管理装置を一以上の環境試験装置とは別の装置として構成する場合よりも、試験装置管理システムを構成するために必要な装置の配置スペースを低減することができる。
【発明の効果】
【００３２】
本発明によれば、一以上の環境試験装置の其々が異常な状態になる直前の警告状態であることを適切に通知することができる試験装置管理システム及び管理装置を提供することができる。
【図面の簡単な説明】
【００３３】
【図１】試験装置管理システムの全体像の一例を示す図である。
【図２】環境試験装置の機能構成の一例を示すブロック図である。
【図３】冷熱衝撃装置が備える環境センサー及び状態センサーの一例を示す図であり、（Ａ）は当該冷熱衝撃装置の外観の斜視図であり、（Ｂ）は図３（Ａ）のＢ−Ｂ線断面図であり、（Ｃ）は図３（Ａ）のＣ−Ｃ線断面図である。
【図４】図３に示す冷熱衝撃装置とは異なる調整方式の冷熱衝撃装置が備える環境センサー及び状態センサーの一例を示す図であり、（Ａ）は当該冷熱衝撃装置の外観の斜視図であり、（Ｂ）は図４（Ａ）のＢ−Ｂ線断面図であり、（Ｃ）は図４（Ａ）のＣ−Ｃ線断面図であり、（Ｄ）は図４（Ａ）のＤ−Ｄ線断面図である。
【図５】恒温恒湿器が備える環境センサー及び状態センサーの一例を示す図であり、（Ａ）は恒温恒湿器の外観の斜視図であり、（Ｂ）は図５（Ａ）のＢ−Ｂ線断面図であり、（Ｃ）は図５（Ａ）のＣ−Ｃ線断面図である。
【図６】管理装置の機能構成の一例を示すブロック図である。
【図７】環境試験装置における試料の試験の動作を示すフローチャートである。
【図８】管理装置における環境試験装置の状態管理の動作を示すフローチャートである。
【図９】記憶部が記憶した試験情報の一例を示す図である。
【図１０】対象環境試験装置が正常な状態であるか否かを判定する処理の一例の説明図である。
【図１１】対象環境試験装置が警告状態か否かを判定する処理の一例の説明図である。
【図１２】対象環境試験装置が異常な状態であるか否かを判定する処理の一例の説明図である。
【図１３】予測部が余命期間を予測する処理の一例の説明図である。
【発明を実施するための形態】
【００３４】
（実施形態）
（システムの全体像）
以下、本発明に係る試験装置管理システムの一実施形態について説明する。図１は、試験装置管理システム１００の全体像の一例を示す図である。図１に示すように、試験装置管理システム１００は、一以上の環境試験装置２と管理装置１とを備えている。一以上の環境試験装置２の其々は、ＬＡＮ（Ｌｏｃａｌ  Ａｒｅａ  Ｎｅｔｗｏｒｋ）やインターネット（クラウド）等のネットワーク９を介して、管理装置１との間で互いに通信可能に接続されている。
【００３５】
環境試験装置２は、試料の耐熱性や耐湿性や耐振性等の試験を行うため、所定の試験条件に従い試料の周囲環境を調整可能に構成されている。具体的には、環境試験装置２には、冷熱衝撃装置２ａや、冷熱衝撃装置２ａとは異なる調整方式の冷熱衝撃装置２ｂや、恒温恒湿器２ｃ等が含まれる。
【００３６】
冷熱衝撃装置２ａは、所定の試験条件に従い、試料が収容された試験槽（テストエリア）に隣接する高温槽及び低温槽内の空気環境を調整し、且つ、高温槽及び低温槽からテストエリアへ流し込む空気量を調整することで、試料の周囲環境を調整する。冷熱衝撃装置２ｂは、冷熱衝撃装置２ａとは異なり、所定の試験条件に従い高温槽及び低温槽内の空気環境を調整し、空気環境が調整された高温槽や低温槽にテストエリアを移動させることで、試料の周囲環境を調整する。恒温恒湿器２ｃは、所定の試験条件に従い、試料が収容されたテストエリアの空気環境を調整し、また、テストエリアに所定の振動を付与することで、試料の周囲環境を調整する。尚、恒温恒湿器２ｃは、テストエリアに振動を付与しないものであってもよいし、また、空気環境として、空気の温度のみを調整する所謂恒温器であってもよい。
【００３７】
管理装置１は、一以上の環境試験装置２の其々が正常な状態であるか、異常になる直前の警告状態であるか又は異常な状態であるかを管理する。
【００３８】
（環境試験装置２の機能構成）
次に、環境試験装置２の機能構成について詳述する。図２は、環境試験装置２の機能構成の一例を示すブロック図である。図２に示すように、環境試験装置２は、制御部２０、インターフェイス部２３、表示部２４、操作部２５、記憶部２６、環境調整器２７、環境センサー２８及び状態センサー２９を備えている。
【００３９】
制御部２０は、環境試験装置２が備える各部の制御を行う。具体的には、制御部２０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）等の揮発性メモリー、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性メモリー、現在時刻を計時するタイマー回路等を備えたマイクロコンピューターによって構成される。
【００４０】
制御部２０は、不揮発性メモリーに記憶された制御プログラムをＣＰＵに実行させることにより、実行部２１及び送信部２２として機能する。実行部２１及び送信部２２の詳細については後述する。
【００４１】
インターフェイス部２３は、環境試験装置２がネットワーク９（図１）を介して管理装置１と通信するための通信インターフェイス回路によって構成される。インターフェイス部２３は、制御部２０による制御の下、制御部２０から入力された情報を、ネットワーク９を介して管理装置１へ送信する。インターフェイス部２３は、管理装置１が送信した情報をネットワーク９を介して受信する度に、当該受信した情報を制御部２０へ出力する。
【００４２】
表示部２４は、例えば、液晶ディスプレイによって構成され、制御部２０による制御の下、環境試験装置２の操作画面やメッセージ等の各種情報を表示する。
【００４３】
操作部２５は、例えば、表示部２４が有する各種情報の表示面上に設けられたタッチパネル装置によって構成される。操作部２５は、前記表示面に表示された各種画面内のソフトキーが操作されると、当該ソフトキー及び操作に対応付けられた指示の入力を受け付ける。また、操作部２５は、タッチパネル装置に限らず、各種情報を入力するためのキーボードや各種画面内のソフトキーを操作するためのマウス等を備えて構成してもよい。
【００４４】
記憶部２６は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置によって構成され、制御部２０による制御の下、各種情報を記憶する。また、記憶部２６は、表示部２４に表示される操作画面を示す画像や、制御部２０による制御に用いられる各種情報等を予め記憶している。
【００４５】
環境調整器２７は、冷凍機や加湿器等の空気調和装置や振動機等によって構成され、制御部２０による制御の下、所定の試験条件に従い試料の周囲環境を調整する。
【００４６】
試料の周囲環境には、試料が収容されたテストエリア内の空気の温度、湿度及び気圧や、テストエリアに付与する振動や、テストエリアに流し込まれる高温槽及び低温槽内の空気の温度、湿度及び気圧等が含まれる。
【００４７】
試験条件には、試料の周囲環境の目標値（例：温度の目標値（以降、目標温度）、湿度の目標値（以降、目標湿度）、気圧の目標値（以降、目標気圧）及び振動の目標値（以降、目標振動））と、試料の周囲環境を当該目標値となるように調整する期間（以降、調整期間）と、が含まれる。尚、試験条件には、前記目標値と前記調整期間との組み合わせが複数含まれていてもよい。この場合、環境調整器２７は、試験条件に含まれている各組み合わせを順次用いて、試料の周囲環境を前記各組み合わせに含まれた目標値となるように、前記各組み合わせに含まれた調整期間調整することを順次行う。
【００４８】
環境センサー２８は、上述した試料の周囲環境を検出する。状態センサー２９は、環境調整器２７の一以上の状態を検出する。環境調整器２７の状態には、環境調整器２７の温度、圧力及び振動や、環境調整器２７が備える圧縮機等の所定の部品に印加される電圧及び電流が含まれる。また、環境調整器２７の状態には、環境調整器２７に供給され、環境調整器２７から排出される冷却用水の水温及び流量や排気空気の温度が含まれる。また、環境調整器２７の状態には、環境調整器２７に供給される加湿用水の水位が含まれる。
【００４９】
また、環境調整器２７の状態には、環境調整器２７の設置環境が含まれる。環境調整器２７の設置環境には、環境調整器２７を制御する制御部２０や環境調整器２７が配置された室内、並びに、環境調整器２７を備えた環境試験装置２の周囲の温度、湿度及び気圧等の環境調整器２７の周囲環境が含まれる。また、環境調整器２７の設置環境には、環境調整器２７に供給される電圧や電流等の、環境調整器２７の電源環境が含まれる。
【００５０】
図３は、冷熱衝撃装置２ａが備える環境センサー２８及び状態センサー２９の一例を示す図である。図３（Ａ）は冷熱衝撃装置２ａの外観の斜視図であり、図３（Ｂ）は図３（Ａ）のＢ−Ｂ線断面図であり、図３（Ｃ）は図３（Ａ）のＣ−Ｃ線断面図である。
【００５１】
具体的には、図３（Ｂ）に示すように、冷熱衝撃装置２ａが備える環境センサー２８には、例えば、テストエリア、高温槽及び低温槽内の空気の温度、湿度及び気圧を検出する温度センサー、湿度センサー及び圧力センサーや、試料の状態を検出する熱電対、電圧電流計、抵抗計、及び電力計等が含まれる。図３（Ｂ）に示すように、冷熱衝撃装置２ａが備える状態センサー２９には、例えば、制御部２０を構成するマイクロコンピューターが配置された電装室内の温度及び湿度を検出する温度センサー及び湿度センサーが含まれる。
【００５２】
また、図３（Ｃ）に示すように、冷熱衝撃装置２ａが備える状態センサー２９には、例えば、環境調整器２７を構成する冷凍機の温度、圧力及び振動を検出する温度センサー、圧力センサー及び振動センサーや、冷凍機が備える圧縮機等の所定の部品に印加される電圧及び電流を検出する電圧センサー及び電流センサーが含まれる。また、冷熱衝撃装置２ａが備える状態センサー２９には、冷凍機に供給され、冷凍機から排出される冷却用水の水温及び流量又は排気空気の温度を検出する水温センサー及び流量センサー又は温度センサーが含まれる。更に、冷熱衝撃装置２ａが備える状態センサー２９には、冷凍機が配置された機械室内及び冷凍機を備えた冷熱衝撃装置２ａの周囲の温度及び湿度を検出する温度センサー及び湿度センサーや、冷凍機に供給される電圧及び電流を検出する電圧センサー及び電流センサー等が含まれる。
【００５３】
図４は、図３に示す冷熱衝撃装置２ａとは異なる調整方式の冷熱衝撃装置２ｂが備える環境センサー２８及び状態センサー２９の一例を示す図である。図４（Ａ）は冷熱衝撃装置２ｂの外観の斜視図であり、図４（Ｂ）は図４（Ａ）のＢ−Ｂ線断面図であり、図４（Ｃ）は図４（Ａ）のＣ−Ｃ線断面図であり、図４（Ｄ）は図４（Ａ）のＤ−Ｄ線断面図である。
【００５４】
具体的には、図４（Ｂ）に示すように、冷熱衝撃装置２ｂが備える環境センサー２８には、例えば、テストエリア、高温槽及び低温槽内の空気の温度、湿度及び気圧を検出する温度センサー、湿度センサー及び圧力センサーや、試料の状態を検出する熱電対、電圧電流計、抵抗計、及び電力計等が含まれる。
【００５５】
また、図４（Ｃ）に示すように、冷熱衝撃装置２ｂが備える状態センサー２９には、例えば、環境調整器２７を構成する冷凍機の温度、圧力及び振動を検出する温度センサー、圧力センサー及び振動センサーや、冷凍機が備える圧縮機等の所定の部品に印加される電圧及び電流を検出する電圧センサー及び電流センサーが含まれる。また、冷熱衝撃装置２ｂが備える状態センサー２９には、冷凍機に供給され、冷凍機から排出される冷却用水の水温及び流量又は排気空気の温度を検出する水温センサー及び流量センサー又は温度センサーが含まれる。更に、冷熱衝撃装置２ｂが備える状態センサー２９には、冷凍機が配置された機械室内及び冷凍機を備えた冷熱衝撃装置２ｂの周囲の温度及び湿度を検出する温度センサー及び湿度センサーや、冷凍機に供給される電圧及び電流を検出する電圧センサー及び電流センサー等が含まれる。
【００５６】
また、図４（Ｄ）に示すように、冷熱衝撃装置２ｂが備える状態センサー２９には、例えば、制御部２０を構成するマイクロコンピューターが配置された電装室内の温度及び湿度を検出する温度センサー及び湿度センサーが含まれる。
【００５７】
図５は、恒温恒湿器２ｃが備える環境センサー２８及び状態センサー２９の一例を示す図である。図５（Ａ）は恒温恒湿器２ｃの外観の斜視図であり、図５（Ｂ）は図５（Ａ）のＢ−Ｂ線断面図であり、図５（Ｃ）は図５（Ａ）のＣ−Ｃ線断面図である。
【００５８】
一方、図５（Ｂ）に示すように、恒温恒湿器２ｃが備える環境センサー２８には、例えば、テストエリア内の空気の温度、湿度及び気圧を検出する温度センサー、湿度センサー及び圧力センサーや、テストエリアの振動を検出する振動センサーや、試料の状態を検出する熱電対、電圧電流計、抵抗計、及び電力計等が含まれる。図５（Ｂ）に示すように、恒温恒湿器２ｃが備える状態センサー２９には、環境調整器２７を構成する冷凍機の温度及び振動を検出する温度センサー及び振動センサーや、冷凍機が備える圧縮機等の所定の部品に印加される電圧及び電流を検出する電圧センサー及び電流センサーが含まれる。また、恒温恒湿器２ｃが備える状態センサー２９には、給水タンクに貯留された、環境調整器２７を構成する加湿器に供給する加湿用水の水位を検出する水位計が含まれる。
【００５９】
また、図５（Ｃ）に示すように、恒温恒湿器２ｃが備える状態センサー２９には、制御部１０を構成するマイクロコンピューターが配置された電装室内の温度及び湿度を検出する温度センサー及び湿度センサーが含まれる。また、恒温恒湿器２ｃが備える状態センサー２９には、冷凍機に供給され、冷凍機から排出される冷却用水の水温及び流量又は排気空気の温度を検出する水温センサー及び流量センサー又は温度センサーが含まれる。また、恒温恒湿器２ｃが備える状態センサー２９には、冷凍機を備えた恒温恒湿器２ｃの周囲の温度及び湿度を検出する温度センサー及び湿度センサーや、冷凍機に供給される電圧及び電流を検出する電圧センサー及び電流センサー等が含まれる。
【００６０】
（管理装置１の機能構成）
次に、管理装置１の機能構成について詳述する。図６は、管理装置１の機能構成の一例を示すブロック図である。図６に示すように、管理装置１は、制御部１０、通信部（受信部）１１、表示部１２、操作部１３及び記憶部１４を備えている。
【００６１】
制御部１０は、管理装置１が備える各部の制御を行う。具体的には、制御部１０は、ＣＰＵ、ＲＡＭ等の揮発性メモリー、ＥＥＰＲＯＭ等の不揮発性メモリー、現在時刻を計時するタイマー回路等を備えたマイクロコンピューターによって構成される。
【００６２】
制御部１０は、不揮発性メモリーに記憶された制御プログラムをＣＰＵに実行させることにより、受付部１０１、判定部１０２、通知部１０３及び予測部１０４として機能する。受付部１０１、判定部１０２、通知部１０３及び予測部１０４の詳細については後述する。
【００６３】
通信部１１は、管理装置１がネットワーク９（図１）を介して環境試験装置２と通信するための通信インターフェイス回路によって構成される。通信部１１は、一以上の環境試験装置２の其々が送信した情報をネットワーク９を介して受信する度に、当該受信した情報を制御部１０へ出力する。また、通信部１１は、制御部１０による制御の下、制御部１０から入力された情報を、ネットワーク９を介して環境試験装置２等の外部装置へ送信する。
【００６４】
表示部１２は、例えば、液晶ディスプレイによって構成され、制御部１０による制御の下、管理装置１の操作画面やメッセージ等の各種情報を表示する。
【００６５】
操作部１３は、例えば、表示部１２が有する各種情報の表示面上に設けられたタッチパネル装置によって構成される。操作部１３は、前記表示面に表示された各種画面内のソフトキーが操作されると、当該ソフトキー及び操作に対応付けられた指示の入力を受け付ける。また、操作部１３は、タッチパネル装置に限らず、各種情報を入力するためのキーボードや各種画面内のソフトキーを操作するためのマウス等を備えて構成してもよい。
【００６６】
記憶部１４は、ＨＤＤやＳＳＤ等の記憶装置によって構成され、制御部１０による制御の下、各種情報を記憶する。また、記憶部１４には、表示部１２に表示される操作画面を示す画像や、制御部１０による制御に用いられる各種情報等が予め記憶されている。
【００６７】
（試験の動作フロー）
以下では、環境試験装置２における試料の試験の動作について説明する。図７は、環境試験装置２における試料の試験の動作を示すフローチャートである。尚、当該説明において、実行部２１及び送信部２２の詳細について説明する。
【００６８】
実行部２１は、試験条件の設定操作を行うための操作画面を表示部２４に表示させた後、図７に示すように、ユーザーが操作部２５を用いて試験条件の設定操作を行うと（Ｓ１１）、試料の試験を開始する（Ｓ１２）。具体的には、Ｓ１２において、実行部２１は、環境調整器２７を制御して、Ｓ１１で設定された試験条件に従い、試料の周囲環境を調整させる。
【００６９】
試験が開始されると、送信部２２は、インターフェイス部２３を制御して、環境試験装置２の識別情報（以降、装置ＩＤ）と、Ｓ１１で設定された試験条件に含まれている試料の周囲環境の目標値、環境センサー２８の検出値、状態センサー２９の検出値、及び調整期間等の試験情報とを、管理装置１に定期的に送信させる処理を開始する（Ｓ１３）。これにより、試験情報は、試験において環境調整器２７による調整が行われている間（調整中）、定期的に管理装置１に送信される。
【００７０】
そして、インターフェイス部２３が、管理装置１から通知された後述の警報情報又は警告情報を受信し、当該受信した情報を制御部２０に出力したとする（Ｓ１４；ＹＥＳ）。この場合、実行部２１は、表示部２４に、当該受信した情報を表示させる（Ｓ１５）。
【００７１】
Ｓ１４で受信された情報が警報情報ではなく（Ｓ１６；ＮＯ）、且つ、試験条件に含まれる全ての調整期間が経過していない場合（Ｓ１７；ＮＯ）、実行部２１は、処理をＳ１４に戻す。その後は、Ｓ１４以降の処理が行われる。一方、Ｓ１４で受信された情報が警報情報であった場合（Ｓ１６；ＹＥＳ）及び試験条件に含まれる全ての調整期間が経過した場合（Ｓ１７；ＹＥＳ）、実行部２１は、試験を終了する。
【００７２】
（環境試験装置２の状態管理の動作フロー）
以下では、管理装置１における環境試験装置２の状態管理の動作について説明する。図８は、管理装置１における環境試験装置２の状態管理の動作を示すフローチャートである。尚、当該説明において、受付部１０１、判定部１０２、通知部１０３及び予測部１０４の詳細について説明する。
【００７３】
図８に示すように、通信部１１が、環境試験装置２が調整中に送信した各試験情報を受信し、当該受信した各試験情報を制御部１０に出力すると（Ｓ２１）、受付部１０１は、記憶部１４に当該受信した試験情報を記憶させる（Ｓ２２）。
【００７４】
図９は、記憶部１４が記憶した試験情報の一例を示す図である。例えば、図９に示すように、Ｓ２２において、記憶部１４は、受付部１０１による制御の下、Ｓ２１で受信された試験情報を、当該試験情報の受信時刻と対応付けて記憶する。図９は、記憶部１４が、装置ＩＤ「Ｍ１」で識別される環境試験装置２から時刻ｔ１１〜ｔ１ｎに受信したｎ個の試験情報を記憶した例を示している。また、図９は、時刻ｔ１１〜ｔ１ｎの後、記憶部１４が、装置ＩＤ「Ｍ２」で識別される環境試験装置２から時刻ｔ２１〜ｔ２ｍ、ｔ２ｍ＋１〜ｔ２ｎに受信したｎ個の試験情報を記憶した後、装置ＩＤ「Ｍ３」で識別される環境試験装置２から時刻ｔ３１〜ｔ３ｎに受信したｎ個の試験情報を記憶した例を示している。
【００７５】
例えば、記憶部１４が記憶した、装置ＩＤ「Ｍ１」で識別される環境試験装置２から時刻「ｔ１１」に受信した試験情報には、当該試験情報を送信した環境試験装置２の装置ＩＤ「Ｍ１」が含まれている。当該試験情報には、試験条件として、目標温度「Ｔ１」、目標湿度「Ｈ１」、及び調整期間「Ｄ１」が含まれている。当該試験情報には、環境センサー２８（図２）の検出値（以降、環境検出値）として、テストエリアの温度「Ｔａ１１」及び湿度「Ｈａ１１」等が含まれている。
【００７６】
また、当該試験情報には、状態センサー２９（図２）の検出値（以降、状態検出値）として、電装室内の温度「Ｔｂ１１」及び湿度「Ｈｂ１１」、環境調整器２７を構成する冷凍機の温度「Ｔｃ１１」及び圧力「Ｓｃ１１」、冷凍機が備える不図示の圧縮機に印加される電圧「Ｖｃ１１」及び電流「Ｉｃ１１」、並びに、冷凍機の振動「Ｂｃ１１」等が含まれている。
【００７７】
また、当該試験情報には、状態検出値として、冷凍機が設置された機械室の外部の周囲の温度「Ｔｄ１１」及び湿度「Ｈｄ１１」、冷凍機に供給される電圧「Ｖｄ１１」及び電流「Ｉｄ１１」、冷凍機に供給され、冷凍機から排出される冷却用水の水温「Ｗｄ１１」及び流量「Ｆｄ１１」及び冷凍機から排出される排気空気の温度（排気温）「Ｇｄ１１」等が含まれている。
【００７８】
図８に参照を戻す。Ｓ２２の後、判定部１０２は、Ｓ２１で受信された試験情報（以降、受信試験情報）と対象試験情報とに含まれている状態検出値に基づき、受信試験情報を送信した環境試験装置２（以降、対象環境試験装置）が正常な状態であるか否かを判定する処理（第二判定処理）を行う（Ｓ２３）。対象試験情報とは、対象環境試験装置における試料の周囲環境の調整前に記憶部１４が記憶した、受信試験情報と同種の試験条件を含む試験情報を示す。受信試験情報と同種の試験条件とは、受信試験情報に含まれている試験条件を全て含む試験条件を示す。
【００７９】
つまり、Ｓ２３によれば、対象環境試験装置とは異種の試験条件に従う調整中の環境調整器の一以上の状態ではなく、一以上の環境試験装置２の其々で行われた対象環境試験装置と同種の試験条件に従う調整中の環境調整器の一以上の状態に基づき、対象環境試験装置が正常な状態であるか否かを適切に判定できる。
【００８０】
図１０は、対象環境試験装置が正常な状態であるか否かを判定する処理の一例の説明図である。具体的には、Ｓ２３において、判定部１０２は、対象試験情報に含まれているｋ（ｋは２以上の整数）種の状態検出値から、ｋ種の代表値ｐ（＝（ｐ１、ｐ２、・・・、ｐｋ））を算出する。
【００８１】
ｋ種の代表値ｐとしては、例えば、対象試験情報に含まれているｋ種の状態検出値其々の平均値が採用されてもよいし、上限値又は下限値が採用されてもよいし、中央値が採用されてもよい。また、ｋ種の代表値ｐの其々に幅を持たせてもよい。つまり、対象試験情報に含まれているｋ種の状態検出値の其々に所定の統計処理を施し、当該統計処理によって決定された範囲に含まれる全ての状態検出値が、ｋ種の代表値ｐの其々として採用されてもよい。これらに限らず、対象試験情報に含まれているｋ種の状態検出値其々の中から、ユーザーが操作部１３を用いて選択操作した状態検出値が、ｋ種の代表値ｐとして採用されてもよい。
【００８２】
そして、判定部１０２は、図１０の実線部に示すように、受信試験情報に含まれているｋ種の状態検出値ｑ（＝（ｑ１、ｑ２、・・・ｑｋ））と、前記ｋ種の代表値ｐとの間のユークリッド距離ＥＤ（＝（（ｑ１−ｐ１）２＋（ｑ２−ｐ２）２＋・・・＋（ｑｋ−ｐｋ）２）の１／２乗）が、所定長Ｌ以上である場合に、対象環境試験装置が正常な状態ではないと判定する。
【００８３】
例えば、対象環境試験装置における試料の周囲環境の調整前に、記憶部１４が、図９に示すように、受信時刻ｔ１１〜ｔ３ｎと対応付けて試験情報を記憶していたとする。また、時刻ｔ３ｎの後、装置ＩＤ「Ｍ４」により識別される対象環境試験装置から受信した受信試験情報に、試験条件として、目標温度「Ｔ１」及び目標湿度「Ｈ１」が含まれていたとする。ｋ種の状態検出値は、冷凍機の電圧及び電流の２種の状態検出値であるとする。また、ｋ（ｋ＝２）種の代表値は、対象試験情報に含まれる冷凍機の電圧及び電流の状態検出値其々の平均値であるとする。
【００８４】
この場合、Ｓ２３において、判定部１０２は、受信試験情報に含まれている試験条件である目標温度「Ｔ１」及び目標湿度「Ｈ１」を含む、受信時刻ｔ１１〜ｔ１ｎ、ｔ２１〜ｔ２ｍ、ｔ３１〜ｔ３ｎ（図９）に対応付けられた２ｎ＋ｍ個の試験情報を対象試験情報とする。
【００８５】
そして、判定部１０２は、当該対象試験情報に含まれている冷凍機の電圧及び電流の２種の状態検出値其々の平均値を算出し、当該算出した平均値を２種の代表値ｐ（＝（ｐ１、ｐ２）、ｐ１＝（Ｖｃ１１＋・・・＋Ｖｃ１ｎ＋Ｖｃ２１＋・・・＋Ｖｃ２ｍ＋Ｖｃ３１＋・・・＋Ｖｃ３ｎ）／（２ｎ＋ｍ）、ｐ２＝（Ｉｃ１１＋・・・＋Ｉｃ１ｎ＋Ｉｃ２１＋・・・＋Ｉｃ２ｍ＋Ｉｃ３１＋・・・＋Ｉｃ３ｎ）／（２ｎ＋ｍ））とする。
【００８６】
そして、判定部１０２は、受信試験情報に含まれている冷凍機の電圧及び電流の２種の状態検出値ｑ１、ｑ２と、上記算出した２種の代表値ｐ１、ｐ２との間のユークリッド距離ＥＤ（＝（（ｑ１−ｐ１）２＋（ｑ２−ｐ２）２）の１／２乗）が、所定長Ｌ以上である場合に、対象環境試験装置が正常な状態ではないと判定する。
【００８７】
本構成によれば、試験情報に環境調整器２７の複数種類の状態の検出値が含まれている場合であっても、一以上の環境試験装置２の其々で行われた対象環境試験装置と同種の試験条件に従う調整中の環境調整器２７の複数種類の状態の検出値から、ユークリッド距離ＥＤを算出し、当該算出したユークリッド距離ＥＤに基づき、対象環境試験装置が正常な状態であるか否かを適切に判定することができる。
【００８８】
尚、判定部１０２は、Ｓ２３において、上記とは別の方法で、受信試験情報と対象試験情報とに含まれている状態検出値に基づき、対象環境試験装置が正常な状態であるか否かを判定するようにしてもよい。
【００８９】
例えば、判定部１０２は、試験を開始してから所定時間経過するまでの間に順次受信されたｍ個の受信試験情報に含まれている、ｋ種の状態検出値ｘｋｍの集合を表すベクトルｘ（ベクトル（ｘ１１、・・・、ｘ１ｍ）、・・・、ベクトル（ｘｋ１、・・・、ｘｋｍ）））と、試験の開始から前記所定時間が経過するまでに順次受信されたｍ個の対象試験情報に含まれている、ｋ種の状態検出値其々の平均値（ｋ種の代表値）uｋの集合を表すベクトルｕ（＝ｕ１、・・・、ｕｍ）と、を用いた下式（１）によって表されるマハラノビス距離ＭＤ（ｘ）が、所定長Ｌ以上である場合に、対象環境試験装置が正常な状態ではないと判定するようにしてもよい。
【数１】
2018173815.tif 000003
【００９０】
この場合、試験情報に環境調整器２７の複数種類の状態の検出値が含まれている場合であっても、一以上の環境試験装置２の其々で行われた対象環境試験装置と同種の試験条件に従う調整中の環境調整器２７の複数種類の状態の検出値から、マハラノビス距離ＭＤ（ｘ）を算出し、当該算出したマハラノビス距離ＭＤ（ｘ）に基づき、対象環境試験装置が正常な状態であるか否かを適切に判定することができる。
【００９１】
図８に参照を戻す。判定部１０２は、Ｓ２３において、対象環境試験装置が正常な状態ではないと判定したとする（Ｓ２３；ＮＯ）。この場合、判定部１０２は、受信試験情報と対象試験情報とに含まれている環境検出値に基づき、対象環境試験装置が、異常な状態になる直前の警告状態であるか否かを判定する処理（第一判定処理）を行う（Ｓ２４）。
【００９２】
つまり、Ｓ２４によって、受信試験情報が示す、対象環境試験装置において所定の試験条件に従い調整中の試料の周囲環境と、対象試験情報が示す、一以上の環境試験装置２の其々で対象環境試験装置と同種の試験条件に従い過去に調整を行っていたときの試料の周囲環境とに基づき、対象環境試験装置が警告状態であるか否かが判定される。
【００９３】
このため、対象環境試験装置で所定の試験条件に従い調整中の試料の周囲環境と、一以上の環境試験装置２の其々で対象環境試験装置とは異種の試験条件に従い過去に調整を行っていたときの試料の周囲環境とに基づき、対象環境試験装置が警告状態であるか否かを判定するよりも、一以上の環境試験装置２の其々が異常な状態になる直前の警告状態であるか否かを適切に判定できる。
【００９４】
図１１は、対象環境試験装置が警告状態か否かを判定する処理の一例の説明図である。具体的には、Ｓ２４において、判定部１０２は、図１１の破線部及び二点鎖線部に示すように、受信試験情報に含まれている環境検出値が第一値ｄ１から第二値ｄ２に変化するまでに要した時間と、図１１の実線部に示すように、対象試験情報に含まれている環境検出値が第一値ｄ１から第二値ｄ２に変化するまでに要した時間の所定の第一代表値と、の時間差ＤＴが、所定の第一基準時間以上である場合に、対象環境試験装置が警告状態であると判定する。
【００９５】
第一代表値としては、対象試験情報に含まれている、一以上の各調整中の環境検出値が、第一値ｄ１から第二値ｄ２に変化するまでに要した時間（以降、所要時間）の平均値が採用されてもよいし、上限値又は下限値が採用されてもよいし、中央値が採用されてもよい。また、図１１の太線矢印に示すように、第一代表値に幅を持たせてもよい。また、対象試験情報に含まれている、一以上の各調整中の環境検出値が第一値ｄ１から第二値ｄ２に変化するまでに要した所要時間に所定の統計処理を施し、当該統計処理によって決定された範囲に含まれる全ての所要時間が、第一代表値として採用されてもよい。これらに限らず、対象試験情報に含まれている、一以上の各調整中の環境検出値が第一値ｄ１から第二値ｄ２に変化するまでに要した時間の中から、ユーザーが操作部１３を用いて選択操作した時間が、第一代表値として採用されてもよい。
【００９６】
例えば、対象環境試験装置における試料の周囲環境の調整前に、記憶部１４が、図９に示すように、受信時刻ｔ１１〜ｔ３ｎと対応付けて試験情報を記憶していたとする。また、時刻ｔ３ｎの後、時刻ｔ５１〜ｔ５ｎに、装置ＩＤ「Ｍ５」により識別される対象環境試験装置から受信した受信試験情報には、試験条件として、目標温度と目標湿度との組み合わせが二組「Ｔ１、Ｈ１」、「Ｔ２、Ｈ２」含まれていたとする。また、Ｓ２４の判定に用いる環境検出値は、テストエリアの温度の検出値であるとする。
【００９７】
この場合、Ｓ２４において、判定部１０２は、受信試験情報に含まれている試験条件と同様、目標温度と目標湿度との二組の組み合わせ「Ｔ１、Ｈ１」、「Ｔ２、Ｈ２」を含む、受信時刻ｔ２１〜ｔ２ｎ（図９）に対応付けられたｎ個の試験情報を対象試験情報とする。また、判定部１０２は、受信試験情報及び対象試験情報に含まれている二つの目標温度「Ｔ１、Ｔ２」を其々、Ｓ２４の判定に用いる第一値ｄ１（＝Ｔ１）、第二値ｄ２（＝Ｔ２）とする。
【００９８】
また、本具体例では、受信試験情報と同種の試験条件を含む対象試験情報には、受信時刻ｔ２１〜ｔ２ｎに相当する期間中に、装置ＩＤ「Ｍ２」の環境試験装置２において行われた、一の調整中に送信された試験情報だけが含まれている。このため、判定部１０２は、当該調整中の試験情報に含まれているテストエリアの温度の検出値「Ｔａ２１、・・・、Ｔａ２ｍ、Ｔａ２ｍ＋１、・・・、Ｔａ２ｎ」が、第一値ｄ１（＝Ｔ１）から第二値ｄ２（＝Ｔ２）まで変化するのに要した時間を、前記所定の第一代表値とする。
【００９９】
尚、本具体例とは異なり、受信試験情報と同種の試験条件を含む対象試験情報に、複数の環境試験装置２において行われた、複数の調整中に其々送信された試験情報が含まれていたとする。この場合、判定部１０２は、上述のように、各調整中に送信された試験情報に含まれているテストエリアの温度の検出値が第一値から第二値まで変化するのに要する所要時間の平均値等を、第一代表値とすればよい。
【０１００】
そして、判定部１０２は、図１１と同様、横軸を試験情報の受信時刻とし、縦軸を試験情報に含まれるテストエリアの温度の検出値とするグラフを生成する等して、受信試験情報に含まれるテストエリアの温度の検出値が、第一値ｄ１（＝Ｔ１）から第二値ｄ２（＝Ｔ２）に変化するまでに要する時間を算出する。そして、判定部１０２は、当該算出した時間と第一代表値と、の時間差ＤＴが、所定の第一基準時間以上である場合、対象環境試験装置が警告状態であると判定する。
【０１０１】
本構成によれば、受信試験情報が示す調整中の試料の周囲環境の検出値と、対象試験情報が示す一以上の環境試験装置２で過去に行われた当該調整と同種の試験条件を用いた調整中の試料の周囲環境の検出値とが、第一値ｄ１から第二値ｄ２に変化するまでに要した時間の時間差に基づき、対象環境試験装置が警告状態であるか否かを適切に判定できる。
【０１０２】
尚、判定部１０２は、Ｓ２４において、上記とは別の方法で、受信試験情報と対象試験情報とに含まれている環境検出値に基づき、対象環境試験装置が、異常な状態になる直前の警告状態であるか否かを判定するようにしてもよい。
【０１０３】
図８に参照を戻す。判定部１０２は、Ｓ２４において、対象環境試験装置が警告状態であると判定したとする（Ｓ２４；ＹＥＳ）。この場合、判定部１０２は、受信試験情報と対象試験情報とに含まれている状態検出値に基づき、対象環境試験装置が異常な状態であるか否かを判定する処理（第三判定処理）を行う（Ｓ２５）。
【０１０４】
つまり、Ｓ２５によって、一以上の環境試験装置２の其々で行われた対象環境試験装置と同種の試験条件に従う調整中の環境調整器２７の一以上の状態に基づき、対象環境試験装置が異常な状態であるか否かを適切に判定できる。
【０１０５】
図１２は、対象環境試験装置が異常な状態であるか否かを判定する処理の一例の説明図である。具体的には、Ｓ２５において、判定部１０２は、図１２の実線部に示すように、受信試験情報に含まれている何れか一の状態検出値が、対象試験情報に含まれている前記一の状態検出値の所定の第二代表値ｄ０を、所定時間ＥＴ以上連続して超えている場合に、対象環境試験装置が異常な状態であると判定する。
【０１０６】
第二代表値ｄ０としては、対象試験情報に含まれている前記一の状態検出値の平均値が採用されてもよいし、上限値又は下限値が採用されてもよいし、中央値が採用されてもよい。これらに限らず、対象試験情報に含まれている前記一の状態検出値の中から、ユーザーが操作部１３を用いて選択操作した状態検出値が、第二代表値ｄ０として採用されてもよい。
【０１０７】
尚、一の状態検出値が第二代表値ｄ０を所定時間ＥＴ以上連続して超えているとは、図１２の実線部に示すように、一の状態検出値が第二代表値ｄ０を所定時間ＥＴ以上連続して上回っていることを示す。ただし、これに限らず、例えば一の状態検出値及び第二代表値ｄ０が共にマイナスの値を示す場合等、一の状態検出値及び第二代表値ｄ０が示す値によっては、一の状態検出値が第二代表値ｄ０を所定時間ＥＴ以上連続して下回っている場合に、判定部１０２が、一の状態検出値が第二代表値ｄ０を所定時間ＥＴ以上連続して超えていると判定するようにしてもよい。
【０１０８】
例えば、対象環境試験装置における試料の周囲環境の調整前に、記憶部１４が、図９に示すように、受信時刻ｔ１１〜ｔ３ｎと対応付けて試験情報を記憶していたとする。また、時刻ｔ３ｎの後、時刻ｔ６１〜ｔ６ｎに、装置ＩＤ「Ｍ６」により識別される対象環境試験装置から受信した受信試験情報には、試験条件として、目標温度と目標湿度との組み合わせが二組「Ｔ１、Ｈ１」、「Ｔ２、Ｈ２」含まれていたとする。
【０１０９】
この場合、Ｓ２５において、判定部１０２は、受信試験情報に含まれている試験条件と同様、目標温度と目標湿度との二組の組み合わせ「Ｔ１、Ｈ１」、「Ｔ２、Ｈ２」を含む、受信時刻ｔ２１〜ｔ２ｎ（図９）に対応付けられたｎ個の試験情報を対象試験情報とする。また、判定部１０２は、当該対象試験情報に含まれている冷凍機の電圧の検出値「Ｖｃ２１、・・・、Ｖｃ２ｎ」を前記一の状態検出値とし、対象試験情報に含まれている冷凍機の電圧の検出値の平均値を、第二代表値ｄ０（＝（Ｖｃ２１＋・・・＋Ｖｃ２ｎ）／ｎ）として算出する。
【０１１０】
そして、判定部１０２は、受信試験情報に含まれている冷凍機の電圧の検出値が、第二代表値ｄ０を所定時間ＥＴ以上連続して超えていた場合、対象環境試験装置が異常な状態であると判定する。同様に、判定部１０２は、受信試験情報に含まれている状態検出値のうち、冷凍機の振動の検出値が、対象試験情報に含まれている冷凍機の振動の検出値「Ｂｃ２１、・・・、Ｂｃ２ｎ」の平均値である第二代表値ｄ０（＝（Ｂｃ２１＋・・・＋Ｂｃ２ｎ）／ｎ）を、所定時間ＥＴ以上連続して超えていた場合にも、対象環境試験装置が異常な状態であると判定する。
【０１１１】
本構成によれば、環境調整器２７の一以上の状態のうち一の状態の検出値しか試験情報に含まれていない場合であっても、一以上の環境試験装置２の其々で行われた対象環境試験装置と同種の試験条件に従う調整中の環境調整器２７の前記一種類の状態の検出値を用いて、対象環境試験装置が異常な状態であるか否かを適切に判定することができる。
【０１１２】
尚、判定部１０２は、Ｓ２５において、上記とは別の方法で、受信試験情報と対象試験情報とに含まれている状態検出値に基づき、対象環境試験装置が異常な状態であるか否かを判定するようにしてもよい。
【０１１３】
例えば、判定部１０２は、Ｓ２５において、図１２の一点鎖線部に示すように、受信試験情報に含まれている何れか一の状態検出値が、対象試験情報に含まれている前記一の状態検出値の所定の第二代表値ｄ０を、所定時間ＥＴ中に所定回数以上超えている場合に、対象環境試験装置が異常な状態であると判定してもよい。尚、図１２は、前記何れか一の状態検出値が第二代表値ｄ０を三回超えている例を示している。
【０１１４】
図８に参照を戻す。判定部１０２は、Ｓ２５において、対象環境試験装置が異常な状態であると判定したとする（Ｓ２５；ＹＥＳ）。この場合、通知部１０３（図６）は、対象環境試験装置が異常な状態であることを示す警報を対象環境試験装置に通知する（Ｓ２６）。具体的には、Ｓ２６において、通知部１０３（図６）は、通信部１１を制御して、対象環境試験装置が異常な状態であることを示す警報情報を、ネットワーク９を介して対象環境試験装置に送信させる。尚、Ｓ２６において、通知部１０３（図６）は、警報情報をネットワーク９を介して対象環境試験装置の監視用のパソコン等に送信してもよい。
【０１１５】
このため、当該通知を受けた対象環境試験装置のユーザーは、当該対象環境試験装置における調整を迅速に終了することができる。これにより、異常な状態の対象環境試験装置において、正常ではない調整を無駄に継続することを回避できる。
【０１１６】
一方、Ｓ２３において対象環境試験装置が正常な状態であると判定された場合（Ｓ２３；ＹＥＳ）、及び、Ｓ２４において対象環境試験装置が警告状態ではないと判定された場合（Ｓ２４；ＮＯ）、予測部１０４は、受信試験情報及び対象試験情報に含まれている状態検出値に基づき、対象環境試験装置の環境調整器２７が寿命に到達するまでの余命期間を予測する処理（予測処理）を行う（Ｓ２９）。
【０１１７】
図１３は、予測部１０４が余命期間ＬＥを予測する処理の一例の説明図である。具体的には、図１３に示すように、Ｓ２９において、予測部１０４は、受信試験情報に含まれている所定の何れか一の状態検出値を、順次、横軸を受信試験情報の各受信時刻とし、縦軸を当該一の状態検出値とする二次元座標にプロットする。そして、予測部１０４は、所定の公知の回帰分析処理を行うことで、当該一の状態検出値と時刻との関係を表す関数（破線部に示す曲線）を算出する。そして、予測部１０４は、当該算出した関数を用いて、当該一の状態検出値が異常値ｄｅになる時刻ｔｅを算出する。予測部１０４は、当該算出した時刻ｔｅを、対象環境試験装置の環境調整器２７が寿命に到達する時刻として予測する。
【０１１８】
尚、異常値ｄｅは、例えば、対象試験情報に含まれている前記一の状態検出値の上限値（又は下限値）を所定倍にした値を示す。ただし、前記異常値ｄｅは、これに限らず、対象試験情報に含まれている前記一の状態検出値の上限値（又は下限値）に、ユーザーが操作部１３を用いて入力操作した値を加算（又は減算）した値等であってもよい。
【０１１９】
そして、予測部１０４は、対象環境試験装置における調整の最後に試験情報を受信した時刻ｔｃから、前記予測した対象環境試験装置の環境調整器２７が寿命に到達する時刻ｔｅまでの期間を、余命期間ＬＥとして予測する。
【０１２０】
図８に参照を戻す。Ｓ２９の後、通知部１０３（図６）は、Ｓ２９で予測された余命期間ＬＥを対象環境試験装置に通知する（Ｓ３０）。具体的には、Ｓ３０において、通知部１０３は、通信部１１を制御して、余命期間ＬＥを示す情報を、ネットワーク９を介して対象環境試験装置等に送信させる。
【０１２１】
つまり、Ｓ２３において対象環境試験装置が正常な状態であると判定された場合（Ｓ２３；ＹＥＳ）、及び、Ｓ２４において対象環境試験装置が警告状態ではないと判定された場合（Ｓ２４；ＮＯ）、Ｓ２９において、一以上の環境試験装置２の其々で行われた対象環境試験装置と同種の試験条件に従う調整中の環境調整器２７の一以上の状態に基づき、適切に余命期間が予測される（Ｓ２９）。そして、Ｓ３０において、当該予測された余命期間が通知される（Ｓ３０）。
【０１２２】
このため、当該通知を受けた対象環境試験装置のユーザーは、警告状態ではないうちに、環境調整器２７が寿命に到達するまでに要する期間を適切に把握することができる。これにより、当該ユーザーは、当該対象環境試験装置を点検する等、当該対象環境試験装置が異常な状態になる虞を低減するための作業を、時間的に余裕を持って実施することができる。
【０１２３】
また、Ｓ２５において、対象環境試験装置が異常な状態ではないと判定された場合（Ｓ２５；ＮＯ）、予測部１０４は、Ｓ２９と同様の余命期間ＬＥを予測する処理を行う（Ｓ２７）。Ｓ２７の後、通知部１０３（図６）は、Ｓ２７で予測された余命期間ＬＥと対象環境試験装置が警告状態であることを示す警告を、対象環境試験装置に通知する（Ｓ２８）。具体的には、Ｓ２８において、通知部１０３は、通信部１１を制御して、余命期間ＬＥを示す情報及び対象環境試験装置が警告状態であることを示す警告情報を、ネットワーク９を介して対象環境試験装置に送信させる。
【０１２４】
このため、これらの通知を受けた対象環境試験装置のユーザーは、当該対象環境試験装置が警告状態であるうちに、当該対象環境試験装置の環境調整器２７が寿命に到達するまでに要する期間を適切に把握することができる。これにより、当該ユーザーは、当該対象環境試験装置を点検する等、当該対象環境試験装置が異常な状態になる虞を低減するための作業を早急に実施することができる。
【０１２５】
（変形実施形態）
尚、上記実施形態は、本発明に係る実施形態の例示に過ぎず、本発明を上記実施形態に限定する趣旨ではない。例えば、以下に示す変形実施形態であってもよい。
【０１２６】
（１）上記実施形態では、図１に示したように、一以上の環境試験装置２の其々が、ネットワーク９を介して、管理装置１との間で互いに通信可能に接続されていたが、これに代えて、一以上の環境試験装置２のうち何れか一の環境試験装置２に、管理装置１を備えるように構成してもよい。
【０１２７】
本構成によれば、管理装置１を一以上の環境試験装置２とは別の装置として構成する場合よりも、試験装置管理システム１００を構成するために必要な装置の配置スペースを低減することができる。
【０１２８】
（２）上記実施形態及び上記（１）の変形実施形態において、一以上の環境試験装置２其々のユーザーやメンテナンス作業員が使用するメールアドレス等の宛先に関する情報を、記憶部１４に予め記憶させておいてもよい。通知部１０３が、Ｓ２８及びＳ３０（図８）において、記憶部１４が予め記憶している前記宛先に関する情報が示すメールアドレス等に、各種情報を通知するようにしてもよい。具体的には、通知部１０３が、Ｓ２８（図８）において、記憶部１４が予め記憶している前記宛先に関する情報が示すメールアドレス等に、余命期間と警告情報を送信するようにしてもよい。また、通知部１０３が、Ｓ３０（図８）において、記憶部１４が予め記憶している前記宛先に関する情報が示すメールアドレス等に、余命期間を送信するようにしてもよい。
【０１２９】
（３）上記実施形態及び上記（１）及び（２）の変形実施形態におけるＳ２３（図８）において、Ｓ２４（図８、図１１）における判定処理と同様に、受信試験情報と対象試験情報とに含まれている環境検出値に基づき、対象環境試験装置が正常な状態であるか否かを判定するようにしてもよい。または、Ｓ２５（図８、図１２）における判定処理と同様に、受信試験情報と対象試験情報とに含まれている状態検出値に基づき、対象環境試験装置が正常な状態であるか否かを判定するようにしてもよい。または、Ｓ２３（図８、図１０）における判定処理、Ｓ２４（図８、図１１）における判定処理と同様の上記の判定処理及びＳ２５（図８、図１２）における判定処理と同様の上記の判定処理のうちの一以上の判定処理を行い、当該一以上の判定処理において全て正常な状態であると判定された場合に、対象環境試験装置が正常な状態であると判定するようにしてもよい。
【０１３０】
これと同様にして、上記実施形態及び上記（１）及び（２）の変形実施形態におけるＳ２４（図８）において、Ｓ２３（図８）における判定処理と同様に、受信試験情報と対象試験情報とに含まれている状態検出値に基づき、対象環境試験装置が警告状態であるか否かを判定するようにしてもよい。例えば、判定部１０２は、図１０の破線部に示すように、受信試験情報に含まれているｋ種の状態検出値ｑと、前記ｋ種の代表値ｐとの間のユークリッド距離ＥＤが、所定長Ｌ１以上である場合に、対象環境試験装置が警告状態であると判定するようにしてもよい。
【０１３１】
または、Ｓ２５（図８、図１２）における判定処理と同様に、受信試験情報と対象試験情報とに含まれている状態検出値に基づき、対象環境試験装置が警告状態であるか否かを判定するようにしてもよい。または、Ｓ２３（図８、図１０）における判定処理と同様の上記の判定処理、Ｓ２４（図８、図１１）における判定処理及びＳ２５（図８、図１２）における判定処理と同様の上記の判定処理のうちの一以上の判定処理を行い、当該一以上の判定処理において全て警告状態であると判定された場合に、対象環境試験装置が警告状態であると判定するようにしてもよい。
【０１３２】
更に、上記実施形態及び上記（１）及び（２）の変形実施形態におけるＳ２５（図８）において、Ｓ２３（図８、図１０）における判定処理と同様に、受信試験情報と対象試験情報とに含まれている状態検出値に基づき、対象環境試験装置が異常な状態であるか否かを判定するようにしてもよい。例えば、判定部１０２は、図１０の一点鎖線部に示すように、受信試験情報に含まれているｋ種の状態検出値ｑと、前記ｋ種の代表値ｐとの間のユークリッド距離ＥＤが、所定長Ｌ２以上である場合に、対象環境試験装置が異常な状態であると判定するようにしてもよい。
【０１３３】
または、Ｓ２４（図８、図１１）における判定処理と同様に、受信試験情報と対象試験情報とに含まれている環境検出値に基づき、対象環境試験装置が異常な状態であるか否かを判定するようにしてもよい。または、Ｓ２３（図８、図１０）における判定処理と同様の上記の判定処理、Ｓ２４（図８、図１１）における判定処理と同様の上記の判定処理及びＳ２５（図８、図１２）における判定処理のうちの一以上の判定処理を行い、当該一以上の判定処理において全て異常な状態であると判定された場合に、対象環境試験装置が異常な状態であると判定するようにしてもよい。
【０１３４】
尚、環境試験装置２は、環境センサー２８及び状態センサー２９のうち、何れか一方を備えない構成であってもよい。この場合、Ｓ２３、Ｓ２４及びＳ２５では、上述の判定処理のうち、試験情報に含まれている環境検出値又は状態検出値を用いた判定処理を行うようにすればよい。
【０１３５】
（４）上記実施形態及び上記（１）乃至（３）の変形実施形態において、Ｓ２５（図８）を省略し、Ｓ２４（図８）において対象環境試験装置が警告状態であると判定された場合（Ｓ２４；ＹＥＳ）、Ｓ２７（図８）以降の処理を実行するようにしてもよい。
【０１３６】
本構成によれば、Ｓ２４（図８）において対象環境試験装置が警告状態であると判定された場合（Ｓ２４；ＹＥＳ）、対象環境試験装置が警告状態であることが通知される。これにより、一以上の環境試験装置の其々が異常な状態になる直前の警告状態であることを適切に通知できる。
【０１３７】
また、当該通知を受けた対象環境試験装置のユーザーは、当該対象環境試験装置が異常な状態になる前に、当該対象環境試験装置が警告状態であることに気付くことができる。これにより、当該ユーザーは、対象環境試験装置を点検する等、対象環境試験装置が異常な状態になる虞を低減するための作業を実施できる。その結果、対象環境試験装置が異常な状態になってから対象環境試験装置の修理を行う場合よりも、対象環境試験装置で調整が行えなくなる時間を低減できる。
【０１３８】
（５）上記実施形態並びに上記（１）乃至（４）の変形実施形態において、Ｓ２３（図８）を省略してもよい。
【０１３９】
（６）上記実施形態並びに上記（１）乃至（５）の変形実施形態において、制御部１０（図６）が、予測部１０４（図６）として機能しないようにし、Ｓ２７、Ｓ２９及びＳ３０（図８）を省略してもよい。これに合わせて、Ｓ２８（図８）では、通知部１０３（図６）が、対象環境試験装置が警告状態であることを示す警告のみ通知するようにしてもよい。
【符号の説明】
【０１４０】
１  管理装置
１１  通信部（受信部）
１０２  判定部
１０３  通知部
１０４  予測部
１００  試験装置管理システム
２  環境試験装置
２ａ  冷熱衝撃装置（環境試験装置）
２ｂ  恒温恒湿器（環境試験装置）
２２  送信部
２７  環境調整器
２８  環境センサー
２９  状態センサー
ＤＴ  時間差
ＥＤ  ユークリッド距離
ＥＴ  所定時間
Ｌ  所定長
ＬＥ  余命期間
ｄ０  第二代表値
ｄ１  第一値
ｄ２  第二値
ｐ  ｋ種の代表値
【図１】
2018173815.tif 000004
【図２】
2018173815.tif 000005
【図３】
2018173815.tif 000006
【図４】
2018173815.tif 000007
【図５】
2018173815.tif 000008
【図６】
2018173815.tif 000009
【図７】
2018173815.tif 000010
【図８】
2018173815.tif 000011
【図９】
2018173815.tif 000012
【図１０】
2018173815.tif 000013
【図１１】
2018173815.tif 000014
【図１２】
2018173815.tif 000015
【図１３】
2018173815.tif 000016